(57)【要約】【課題】腰部にも十分なマッサージを行なうことのできるエアーマッサージ装置を提供する。【解決手段】首・肩受部と腰受部と足受部とを有するマット本体１０と、首・肩受部に設置された空気袋１３ａ，１３ｂと、腰受部に設置された空気袋１３ｃと、足受部とに設置された空気袋１３ｄと、空気袋１３ａ〜１３ｄを膨張・収縮させてマッサージを行なわせる給排気装置とを備えたエアーマッサージ装置であって、マット本体１０上面に人が載っていない無負荷の状態で、腰受部に設置された空気袋１３ｃが首・肩受部や足受部に設置された空気袋１３ａ，１３ｂ，１３ｄよりも高い位置となるよう各空気袋１３ａ〜１３ｄを配置する。【選択図】        図３
2004255020.tif 000002
【特許請求の範囲】
【請求項１】
首・肩受部と腰受部と足受部とを有するマット本体と、前記首・肩受部と腰受部と足受部とに設置された空気袋と、前記空気袋を膨張・収縮させてマッサージを行なわせる給排気装置とを備えたエアーマッサージ装置であって、
前記マット本体上面に人が載っていない無負荷の状態で、前記腰受部に設置された空気袋が前記首・肩受部や足受部に設置された空気袋よりも高い位置となるよう前記各空気袋を配置したことを特徴とするエアーマッサージ装置。
【発明の詳細な説明】
【０００１】
【発明の属する技術分野】
本発明は、首・肩受部と腰受部と足受部とを有するマット本体に複数の空気袋を設け、これら空気袋を膨張・収縮させるエアーマッサージ装置に関する。
【０００２】
【従来の技術】
従来からエアーマッサージ装置として、マット本体を首・肩受部と腰受部と足受部との３つに区画するとともに、首・肩受部と腰受部と足受部とに複数の空気袋を設置したものが知られている（例えば、特許文献１）。
【０００３】
このようなエアーマッサージ装置においては、給排気装置によって空気を供給して空気袋を膨張させたり、その空気袋の排気を行なって空気袋を収縮させたりすることによって、マッサージが行なわれる。
【０００４】
【特許文献１】
特開平５−１２６３４９号公報
【０００５】
【発明が解決しようとする課題】
しかしながら、上記従来の技術では、マット本体の上面が平坦であるので、腰の部分に対するマッサージを十分に行なうことができないという欠点がある。すなわち、人の背中はＳ字状をなしており、人がマット上に仰向けになったときには、腰の部分とマット表面との間に僅かな隙間が形成され、このために、腰に対するマッサージが不十分となり易い。
【０００６】
本発明の課題は、腰部にも十分なマッサージを行なうことのできるエアーマッサージ装置を提供することにある。
【０００７】
【課題を解決するための手段】
上記課題を解決するために、本発明の特徴部分は、腰受部に設置された空気袋の位置を、他の所に設置された空気袋よりも高くしたことである。例えば、本発明は、首・肩受部と腰受部と足受部とを有するマット本体と、前記首・肩受部と腰受部と足受部とに設置された空気袋と、前記空気袋を膨張・収縮させてマッサージを行なわせる給排気装置とを備えたエアーマッサージ装置であって、前記マット本体上面に人が載っていない無負荷の状態で、前記腰受部に設置された空気袋が前記首・肩受部や足受部に設置された空気袋よりも高い位置となるよう前記各空気袋を配置したことを特徴としている。
【０００８】
上記構成によれば、腰受部に設置された空気袋が高い位置に配置されるので、マット本体上に仰向けになった人の腰部に空気袋がフィットするようになり、腰部に対するマッサージを十分に行なうことができる。
【０００９】
【発明の実施の形態】
以下、本発明の実施の形態を図面に従って説明する。
図１および図２において、１０はマット本体である。このマット本体１０は、肩等を受ける首・肩受部１０ａと、腰等を受ける腰受部１０ｂと、足等を受ける足受部１０ｃとの３つに区画されている。マット本体１０は、エステル起毛からなる表生地１１と綿からなる裏生地１２とで覆われ、内部にはウレタンホームが充填されている。
【００１０】
マット本体１０の内部には、短冊状の空気袋１３ａ〜１３ｄが設置されている。空気袋１３ａ，１３ｂは首・肩受部１０ａに設置され、空気袋１３ｃは腰受部１０ｂに設置され、空気袋１３ｄは足受部１０ｃに設置されている。また、足受部１０ｃには電床帯１４が設けられている。
【００１１】
マット本体１０の一側部にはホース接続部１５が設けられており、ホース接続部１５にはチューブ１６ａ〜１６ｄが取り付けられ、これらチューブ１６ａ〜１６ｄは空気袋１３ａ〜１３ｄにそれぞれ接続されている。また、ホース接続部１５の隣接位置にはコード接続部１７が設けられており、コード接続部１７にはリード線１８が取り付けられ、このリード線１８は電床帯１４に接続されている。
【００１２】
ホース接続部１５には複数のチューブからなる接続ホース１９の一端部が着脱自在に接続され、この接続ホース１９の他端部は給排気装置２０のホース接続口２２に着脱自在に接続されるようになっている。そして、マット本体１０のホース接続部１５と給排気装置２０のホース接続口２２とを接続ホース１９で接続することにより、各空気袋１３ａ〜１３ｄにそれぞれ別個に給排気装置２０から空気が供給されるようになる。空気袋１３ａ〜１３ｄは空気が供給されると膨張し、またその空気が排出されると収縮し、この膨張と収縮の繰り返しによって、マット本体１０の上面に仰向け状態で寝た人に対してマッサージを行なうことができる。
【００１３】
また、給排気装置２０にはコード接続口２１が設けられ、このコード接続口２１とマット本体１０のコード接続口１７とは接続コード２３で接続される。これにより、給排気装置２０から、接続コード２３およびリード線１８を介して電床帯１４に電気を供給することができる。なお、２４は給排気装置２０に取り付けられた電源コードである。
【００１４】
本実施の形態においては、図３に示すように、マット本体１０上面に人が載っていない無負荷の状態では、腰受部１０ｂに設置された空気袋１３ｃが、首・肩受部１０ａに設置された空気袋１３ａ，１３ｂおよび足受部１０ｃに設置された空気袋１３ｄよりも高い位置に配置されるようになっている。
【００１５】
すなわち、マット本体１０の内部には樹脂で構成された枠体３０が設けられており、この枠体３０には、マット本体１０上面に人が仰向けになって寝た場合、その人の腰部に合致する箇所が盛り上がった凸部３０Ａが設けられ、この凸部３０Ａの上に空気袋１３ｃが配置されている。他の空気袋１３ａ，１３ｂ，１３ｄは、枠体３０上の平坦な部分、つまり凸部３０Ａよりも低い所に配置されている。空気袋１３ａ〜１３ｄは枠体３０の上面に固定され、横方向には移動しないようになっている。
【００１６】
枠体３０の両端（マット本体１０の頭部側および足側）には下方に折り曲げられた折り曲げ部３０Ｂ，３０Ｃが設けられ、また凸部３０Ａの下側にはステー３０Ｄが設けられている。そして、折り曲げ部３０Ｂ，３０Ｃおよびステー３０Ｄによって枠体３０全体が支持されている。なお、ステー３０Ｄは枠体３０と同材質の樹脂で構成されている。
【００１７】
枠体３０と表生地１１との間にはウレタンホーム３１が充填され、空気袋１３ａ〜１３ｄの上面および側面はウレタンホーム３１によって覆われている。枠体３０と裏生地１２との間は何も充填されておらず、空間が形成されている。
【００１８】
上記構成において、マット本体１０上面に人が仰向けに寝ると、図４に示すように、ウレタンホーム３１が収縮するので、人３２の頭部、背中および臀部は若干沈み込むが、空気袋１３ａ〜１３ｄは枠体３０に支持されており、沈み込むことはない。
【００１９】
特に、空気袋１３ｃは枠体３０の凸部３０Ａに設けられているので、空気袋１３ａ，１３ｂおよび空気袋１３ｄよりも高い位置に配置され、マット本体１０の上に仰向けになった人３２の腰部に空気袋１３ｃがフィットして、腰部に対するマッサージを十分に行なうことができる。
【００２０】
図５は他の実施の形態を示している。本実施の形態では、マット本体１０の内部に平坦な基板３５が設けられている。この基板３５は樹脂製または木製の厚板で構成され、人が載っても壊れることの無い十分な強度を有している。
【００２１】
基板３５の上には、マット本体１０上面に人が仰向けになって寝た場合、その人の腰部に合致する箇所に円弧状の凸部３６が設けられている。凸部３６の上には空気袋１３ｃが配置されている。他の空気袋１３ａ，１３ｂ，１３ｄは、基板３６の平坦な部分つまり空気袋１３ｃよりも低い位置に配置されている。なお、基板３５に凸部３６を一体的に設けることもできる。
【００２２】
基板３５および凸部３６と表生地１１との間にはウレタンホーム３１が充填され、空気袋１３ａ〜１３ｄの上面および側面はウレタンホーム３１によって覆われている。また、基板３６の底面および側面は裏生地１２で覆われている。
【００２３】
上記構成において、マット本体１０上面に人が仰向けに寝ると、図４に示したように、人３２の頭部、背中および臀部は若干沈み込むが、空気袋１３ａ，１３ｂ，１３ｄは基板３５に、空気袋１３ｃは凸部３６と基板３５にそれぞれ支持され、空気袋１３ａ〜１３ｄが沈み込むことはない。
【００２４】
特に、空気袋１３ｃは凸部３６の上に設けられているので、空気袋１３ａ，１３ｂおよび空気袋１３ｄよりも高い位置に配置され、図３に示したマット本体１０の場合と同様、空気袋１３ｃが人の腰部にフィットして、腰部に対するマッサージを十分に行なうことができる。
【００２５】
上記各実施の形態では、空気袋１３ｃを空気袋１３ａ，１３ｂ，１３ｄよりも高い位置に配置したが、空気袋１３ａ，１３ｂ，１３ｄを空気袋１３ｃよりも低い位置に配置するようにしてもよい。
【００２６】
【発明の効果】
以上説明したように、本発明によれば、腰受部の空気袋が高い位置に配置されるので、マット本体上に仰向けになった人の腰部にも空気袋がフィットするようになり、背中が曲がったり腰が反ったりしない自然な体勢で、腰部に対するマッサージを十分に行なうことができる。
【図面の簡単な説明】
【図１】本発明に係るエアーマッサージ装置の全体を示した外観斜視図である。
【図２】空気袋をマット本体に配置した状態を示した平面図である。
【図３】マット本体の断面図である。
【図４】人が仰向けに寝たときのマット本体の断面図である。
【図５】他の実施の形態によるマット本体の断面図である。
【符号の説明】
１０  マット本体
１０ａ  首・肩受部
１０ｂ  腰受部
１０ｃ  足受部
１１  表生地
１２  裏生地
１３ａ〜１３ｄ  空気袋
１６ａ〜１６ｄ  チューブ
１９  接続ホース
２０  給排気装置
２３  接続コード
【図１】
2004255020.tif 000003
【図２】
2004255020.tif 000004
【図３】
2004255020.tif 000005
【図４】
2004255020.tif 000006
【図５】
2004255020.tif 000007